(57)【要約】【課題】良好な効率および作業性でディスプレイの品質管理や品質管理の履歴管理を行うことができる医療用ディスプレイシステムを提供する。【解決手段】複数台の診断用のディスプレイイと、ディスプレイに画像を表示させる制御手段とを有し、かつ、制御手段は、ディスプレイの品質管理用のテストパターンおよびチェックシートを記憶すると共に、チェックシートへの記入手段を有し、ディスプレイの品質管理を行う際には、品質管理対象のディスプレイにテストパターンを表示させ、他のディスプレイにチェックシートを表示させて、さらに記入手段による入力に応じて、チェックシートに情報を記録することにより、前記課題を解決する。【選択図】図１
2004239752.tif 000002
【特許請求の範囲】
【請求項１】
医療用測定装置で撮影された診断画像を表示する、複数台の診断用のディスプレイと、前記各ディスプレイに画像を表示させる制御手段とを有し、
かつ、前記制御手段は、前記ディスプレイの品質管理用のテストパターンおよびチェックシートを記憶すると共に、前記チェックシートへの記入手段を有し、前記ディスプレイの品質管理を行う際には、品質管理の対象となるディスプレイに前記テストパターンを表示させ、他のディスプレイに前記チェックシートを表示させて、さらに前記記入手段による入力に応じて、前記チェックシートに情報を記録することを特徴とする医療用ディスプレイシステム。
【請求項２】
前記チェックシートを品質管理の対象となるディスプレイの隣りのディスプレイに表示させ、かつ、前記テストパターンおよびチェックシートを表示するディスプレイ以外は、全面を最低輝度表示もしくは電源ｏｆｆする請求項１に記載の医療用ディスプレイシステム。
【請求項３】
医療用測定装置で撮影された診断画像を表示する少なくとも１台の診断用ディスプレイと、医療用電子ファイルを表示するファイル用ディスプレイと、診断用ディスプレイおよびファイル用ディスプレイに画像を表示させ、かつ、前記医療用電子ファイルの作成手段を有する制御手段とを有し、
かつ、前記制御手段は、品質管理用のテストパターンおよびチェックシートを記憶すると共に、前記チェックシートへの記入手段を有し、前記診断用ディスプレイの品質管理を行う際に、品質管理の対象となる前記診断用ディスプレイに前記テストパターンを表示させ、前記ファイル用ディスプレイに前記チェックシートを表示させて、さらに前記記入手段による入力に応じて、前記チェックシートに情報を記録することを特徴とする医療用ディスプレイシステム。
【請求項４】
前記医療用電子ファイルが、電子カルテおよび電子化された画像診断レポートの少なくとも一方である請求項３に記載の医療用ディスプレイシステム。
【発明の詳細な説明】
【０００１】
【発明の属する技術分野】
本発明は、医療用測定装置で撮影された診断画像等を表示する医療用ディスプレイの技術分野に属し、詳しくは、ディスプレイの品質管理（ＱＣ）を良好な効率および作業性で行うことができる医療用ディスプレイシステムに関する。
【０００２】
【従来の技術】
ＭＲＩ診断装置、Ｘ線診断装置、ＦＣＲ（富士コンピューテッドラジオグラフィー）等の医療用測定装置で撮影された診断画像は、通常、Ｘ線フィルムやフィルム感光材料等の光透過性の画像記録フィルムに記録され、光透過性の画像として再生される。この診断画像が再生されたフィルムは、シャーカステンと呼ばれる光源装置にセットされて、背面から光を照射された状態で観察され、診断が行われる。
これに対して、近年では、医療用測定装置で撮影した診断画像をＣＲＴ（Ｃａｔｈｏｄｅ  Ｒａｙ  Ｔｕｂｅ）やＬＣＤ（液晶表示装置）などのディスプレイに表示して、観察／診断することが行われている（電子シャーカステン）。
【０００３】
フィルムに再生した画像を用いて診断を行う場合には、言うなれば画像は固定されたものであり、シャーカステンの輝度や観察環境による若干の違いは有するものの、基本的に、同じ画像を観察して診断を行うことができる。
しかしながら、ディスプレイ画像を用いて診断（以下、ディスプレイ診断とする）を行う場合には、固定されているのは画像データであって、表示画像すなわち診断画像は、ディスプレイの種類や状態、経時的な変動等によって変わってしまう。このような画像の違いは、誤診の原因とも成り得る重大な問題である。そのため、ディスプレイ診断を行う場合には、ディスプレイの状態を適正に保つための品質管理（ＱＣ）が重要である。
【０００４】
【発明が解決しようとする課題】
ディスプレイの品質管理は、目視検査による方法と、輝度計等の測定機器を用いて検査を行う方法とがある。
目視検査によるディスプレイの品質管理は、品質管理（検査）の対象となるディスプレイに品質検査用のテストパターンを表示して、このテストパターンを目視観察し、その結果をハードコピーである所定のチェックシートに記入することで行われている。
【０００５】
すなわち、従来のディスプレイの品質管理では、目視検査はオフラインで行われ、また、その詳細な内容もオフラインで管理される。そのため、品質管理の結果を、品質管理用のソフトウエア等によるオンライン管理に乗せることができず、品質管理、および、その結果や履歴の管理が煩雑で手間がかかる。
品質管理の結果等をオンライン管理するために、チェックシートに記録した内容をパーソナルコンピュータ等で入力することもできるが、入力する分、工程数が増える結果となり、やはり、煩雑で手間のかかる作業となってしまう。
【０００６】
本発明の目的は、前記従来技術の問題点を解決することにあり、診断用ディスプレイを複数有するマルチディスプレイの医療用ディスプレイシステムや、電子カルテや電子化された画像診断レポートの作成手段を有する医療用ディスプレイシステムを利用することにより、良好な効率および作業性でディスプレイの品質管理や品質管理の履歴管理を行うことができる医療用ディスプレイシステムを提供することにある。
【０００７】
【課題を解決するための手段】
前記目的を達成するために、本発明の画像表示システムは、医療用測定装置で撮影された診断画像を表示する、複数台の診断用のディスプレイと、前記各ディスプレイに画像を表示させる制御手段とを有し、かつ、前記制御手段は、前記ディスプレイの品質管理用のテストパターンおよびチェックシートを記憶すると共に、前記チェックシートへの記入手段を有し、前記ディスプレイの品質管理を行う際には、品質管理の対象となるディスプレイに前記テストパターンを表示させ、他のディスプレイに前記チェックシートを表示させて、さらに前記記入手段による入力に応じて、前記チェックシートに情報を記録することを特徴とする医療用ディスプレイシステムを提供する。
【０００８】
このような医療用ディスプレイシステムにおいて、前記チェックシートを品質管理の対象となるディスプレイの隣りのディスプレイに表示させ、かつ、前記テストパターンおよびチェックシートを表示するディスプレイ以外は、全面を最低輝度表示もしくは電源ｏｆｆするのが好ましい。
【０００９】
また、本発明の医療用ディスプレイシステムの別の態様は、医療用測定装置で撮影された診断画像を表示する少なくとも１台の診断用ディスプレイと、医療用電子ファイルを表示するファイル用ディスプレイと、診断用ディスプレイおよびファイル用ディスプレイに画像を表示させ、かつ、前記医療用電子ファイルの作成手段を有する制御手段とを有し、かつ、前記制御手段は、品質管理用のテストパターンおよびチェックシートを記憶すると共に、前記チェックシートへの記入手段を有し、前記診断用ディスプレイの品質管理を行う際に、品質管理の対象となる前記診断用ディスプレイに前記テストパターンを表示させ、前記ファイル用ディスプレイに前記チェックシートを表示させて、さらに前記記入手段による入力に応じて、前記チェックシートに情報を記録することを特徴とする医療用ディスプレイシステムを提供する。
【００１０】
このような医療用ディスプレイシステムにおいて、前前記医療用電子ファイルが、電子カルテおよび電子化された画像診断レポートの少なくとも一方であるのが好ましい。
【００１１】
【発明の実施の形態】
以下、本発明の医療用ディスプレイシステムについて、添付の図面に示される好適実施例を基に、詳細に説明する。
【００１２】
図１に、本発明の医療用ディスプレイシステムの第１の態様の一例の概念図を示す。
図示例の医療用ディスプレイシステム１０（以下、表示システム１０とする）は、４台の診断用のディスプレイ１２（以下、モニタ１２とする）と、制御手段１４とを有して構成される。この表示システム１０は、ＭＲＩ、Ｘ線撮影装置、ＣＴ、ＦＣＲ（富士コンピューテッドラジオグラフィー）などのＣＲ等の各種の医療用測定装置（診断装置）によって撮影された診断画像の画像データＲを受け取り、診断画像を表示する、いわゆるマルチディスプレイの医療用ディスプレイシステムである。
なお、以下の説明では、各モニタ１２を個別に示す際には、便宜的に、図中左より♯１モニタ１２ａ、♯２モニタ１２ｂ、♯３モニタ１２ｃ、および、♯４モニタ１２ｄとする。
【００１３】
本発明の表示システム１０において、モニタ１２は、制御手段１４（表示制御部１８）から送られた画像（画像データ）を表示する、診断用のディスプレイである。
本発明において、モニタ１２には、特に限定はなく、対応する医療用測定装置に応じて、適正な読影／診断（モニタ診断）を行える診断画像を表示可能であれば、ＣＲＴ（Ｃａｔｈｏｄｅ  Ｒａｙ  Ｔｕｂｅ）、ＬＣＤ（液晶ディスプレイ）、プラズマディスプレイ、エレクトロクロミックディスプレイ、電界発光ディスプレイ等、各種のディスプレイが利用可能である。例えば、対応する医療用測定装置がＣＲであれば、通常、ＵＸＧＡ（１６００画素×１２００画素）クラス以上の医療用モノクロＬＣＤや同ＣＲＴが利用される。
【００１４】
なお、図示例の表示システム１０は、４台のモニタ１２を有するものであるが、本発明はこれに限定はされず、複数台の診断用のモニタ１２を有し、かつ、制御手段１４によって画像表示等を管理可能であれば、３台以下、もしくは、５台以上のモニタ１２を有してもよい。
【００１５】
制御手段１４は、各モニタ１２に画像を表示させると共に、表示システム１０の全体の制御を行うもので、例えば、パーソナルコンピュータ（ＰＣ）やワークステーション（ＷＳ）を利用して構成される。
図示例において、制御手段１４は、制御手段１４に接続される各種の入力を行うための入力手段１６（キーボード１６ａおよびマウス１６ｂ）、表示制御手段１８、ＱＣツール２２、および、記憶手段２４を有する。
【００１６】
表示制御手段２０は、診断画像の画像データＲを受け取り、必要に応じて各種の画像処理を施した後に、モニタ１２による画像表示に応じた画像データとして、モニタ１２に送る。
また、図示例においては、表示制御手段２０は、モニタ１２の品質管理（以下、ＱＣとする）を行う際には、ＱＣツール２２からＱＣ用テストパターンおよびＱＣ用チェックシート（その画像データ）を受け取り、モニタ１２に送る。
【００１７】
ＱＣツール２２は、モニタ１２のＱＣを行う際に、記憶手段２４からＱＣ用テストパターンおよびＱＣ用チェックシート（その画像データ）を読み出し、必要に応じて処理を行った後に、表示制御手段２０に供給して、ＱＣの対象となるモニタ１２にＱＣ用テストパターンを、それ以外の１台のモニタ１２にＱＣ用チェックシートを、それぞれ表示させる。
また、ＱＣの際における、入力手段１６によるＱＣ用チェックシートへの記入（入力）に応じて、対応するＱＣ用チェックシートに情報を記録する。
さらに、ＱＣが終了したら、作成されたＱＣ用チェックシートを記憶手段２４の所定領域に記憶させ、また、ＱＣの結果を記憶手段２４に記憶されているＱＣ履歴（一例として、一覧表）に追加する。
【００１８】
また、ＱＣツール２２は、入力手段１６等によって、ＱＣ履歴や過去のＱＣの結果等を表示する旨の指示がされた場合には、記憶手段２４からＱＣ履歴の一覧表や表示を指示されたチェックシート（その画像データ）を読み出して、表示制御手段１８に供給して、例えば、未使用のモニタ１２に表示させる。
【００１９】
記憶手段２４は、ハードディスク等の公知の記憶手段で、前述のように、ＱＣ用テストパターンおよびＱＣ用チェックシート、ならびに、過去に行われたＱＣのチェックシートなどのＱＣの履歴を記憶する。
【００２０】
ＱＣ用テストパターン（以下、テストパターンとする）には、特に限定はなく、ディスプレイのＱＣに用いられる各種のテストパターンが利用可能である。
一例として、ＪＩＳやＤＩＮで規定されている、グレースケールパターン、解像度パターン、画像歪みパターン、およびカラーパターン（カラー画像  ＤＩＮでは規定されていない）や、ＳＭＰＴＥパターン等の、ディスプレイの目視検査用パターンが例示される。
【００２１】
また、ＱＣ用チェックシートにも、特に限定はなく、実施する検査に応じた、各種のチェックシートが利用可能である。一例として、「ＪＩＳ  Ｚ  ４７５２−２−５  医用画像部門における品質維持の評価および日常試験方法  第２−５部：不変性試験  画像表示装置」に規定された試験報告書に準じたチェックシートや、「ＤＩＮ  Ｖ  ６８６８−５７  Ｉｍａｇｅ  Ｑｕａｌｉｔｙ  Ａｓｓｕｒａｎｃｅ  ｉｎ  Ｘ−ｒａｙ  Ｄｉａｇｎｏｓｉｓ  Ｐａｒｔ  ５７：  Ａｃｃｅｐｔａｎｃｅ  ｔｅｓｔｉｎｇ  ｆｏｒ  ｉｍａｇｅ  ｄｉｓｐｌａｙ  ｄｅｖｉｃｅｓ」に規定された報告書に準じたチェックシート等が好適に例示される。
また、前記ＪＩＳの規定に準じたチェックシートと、ＤＩＮの規定に準じたチェックシートの両方を準備しておき、ＱＣの対象となるモニタ１２が対応する規格に応じて、使用するチェックシートを切り換えてもよい。
【００２２】
図２に、前記ＪＩＳの規定に準じたチェックシートの一例を示す。このチェックシートは、ＪＩＳの解像度パターンを用いた、空間解像度および低コントラスト解像度の目視検査に対応するものである。
図中、符号３０で示される領域はチェックボックスで、「水平／垂直バーパターンの明るさの違い」、「中央の水平バーパターンの鮮鋭さ」などの各チェック項目について、「ＮＯ」もしくは「ＹＥＳ」や、「有」もしくは「無」の対応するチェックボックスに、目視検査の結果に応じて、マウス１６ｂ等を用いてチェック（図示例では「×」）を入れる。
さらに、図２中の符号３２は、コメントの記入欄で、目視検査の結果に応じて、例えば、「全く問題ないレベル」、「使用には問題ないレベル」、「使用可能限界のレベル」、「調整が必要」、「修理が必要」など、キーボード１６ａ等を用いて検査者によるコメントを記入する欄である。なお、コメントは、任意に記入可能でもよく、予め設定されたコメントを選択するようにしてもよく、両者を併用してもよい。
【００２３】
以下、表示システム１０におけるＱＣの作用を説明することにより、本発明の医療用ディスプレイシステムについて、より詳細に説明する。
【００２４】
入力手段１６を用いて、モニタ１２のＱＣ（検査）を行うことが指示され、さらに、ＱＣを行うモニタ１２および検査項目が選択される。これに応じて、ＱＣツール２２は、記憶手段２４から検査項目に対応するテストパターンおよびチェックシートを読み出し、表示制御手段１８に供給する。また、ＱＣツール２２は、ＱＣの対象となるモニタ１２にテストパターンを表示し、また、それ以外のいずれかのモニタ１２を選択して此処にチェックシートを表示するように、表示制御手段１８に指示を出す。
【００２５】
ＱＣツール２２は、さらに、記憶手段２４から読み出したチェックシートに、日付や検査者等の所定の情報を記録して、このＱＣの結果を記録して保存するためのチェックシートを生成する。
【００２６】
なお、本発明においては、ＱＣを行う際には、全てのモニタ１２で同じテストパターン用いてもよいが、モニタ１２の画面フォーマット（縦×横の画素数）に応じて、拡大や縮小等を補間処理を行わないテストパターンを、モニタ１２の全面に表示するのが好ましい。
これを達成するために、各種の画面フォーマット、もしくは、表示システム１０が有するモニタ１２の画面フォーマットに応じた、最適なテストパターンを、予め作成して記憶手段２４に記憶しておき、ＱＣツール２２が、ＱＣの対象となるモニタ１２（すなわちテストパターンを表示するモニタ１２）の画面フォーマットに対応するテストパターンを選択して、記憶手段２４から呼び出して、表示制御手段１８に供給するようにしてもよい。
あるいは、記憶手段２４には、基本となるテストパターン（以下、基本パターンとする）を記憶しておくと共に、ＱＣツール２２には、各モニタ１２の画面フォーマットを記憶（登録）しておき、ＱＣツール２２が、基本パターンを記憶手段２４から読み出し、モニタ１２の画面フォーマットと基本パターンとから、ＱＣの対象となるモニタ１２に最適なテストパターンを生成して、表示制御手段１８に供給するようにしてもよい。
【００２７】
本例では、一例として、♯１モニタ１２ａのＱＣを行うとする。
ここで、本発明においては、チェックシートは、ＱＣを行うモニタ１２の隣のモニタ１２に表示するのが好ましく、さらに、それ以外のモニタ１２は、全面を最低輝度表示（以下、黒表示とする）するのが、より好ましい。なお、黒表示の代わりに、テストパターンもチェックシートも表示しないモニタ１２は、電源をｏｆｆしてもよい。
従って、♯１モニタ１２ａのＱＣを行う本例では、ＱＣツール２２は、♯１モニタ１２ａにテストパターンを表示し、♯２モニタ１２ｂにチェックシートを表示し、それ以外の♯３モニタ１２ｃおよび♯４モニタ１２ｄを黒表示とするように、表示制御手段１８に指示を出す。
【００２８】
同様に、♯２モニタ１２ｂのＱＣを行う場合には、例えば、♯３モニタにチェックシートを表示して、♯１モニタ１２ａおよび♯４モニタ１２ｄは黒表示とし、♯３モニタ１２ｃのＱＣを行う場合には、例えば、♯４モニタにチェックシートを表示して、♯１モニタ１２ａおよび♯２モニタ１２ｂは黒表示とし、♯４モニタ１２ｄのＱＣを行う場合には、♯３モニタにチェックシートを表示して、♯１モニタ１２ａおよび♯２モニタ１２ｂは黒表示とするのが好ましい。
【００２９】
表示制御手段１８は、このＱＣツール２２からの指示に応じて、♯１モニタ１２ａにテストパターンを、♯２モニタ１２ｂにチェックシートを、♯３モニタ１２ｃおよび♯４モニタ１２ｄは黒表示画像を、それぞれ送る。各モニタ１２は、これに応じて、それぞれ供給された画像を表示する。
【００３０】
♯１モニタ１２ａがテストパターンを、♯２モニタ１２ｂがチェックシートを、その他のモニタが黒表示を、それぞれ表示すると、検査者によって、テストパターンを用いた♯１モニタ１２ａの目視検査が実施される。
検査者は、各項目の目視検査結果に応じて、図２に示されるように、マウス１６ｂを用いてチェックシートのチェックボックス３０にチェックを入れ、また、キーボード１６ａ等を用いて、コメント記入欄３２に、前述のような、「全く問題ないレベル」や「調整が必要」等のコメントを入力する。これらに入力指示は、ＱＣツール２２に送られ、ＱＣツール２２は、これに応じて、このＱＣに対応するチェックシートの所定位置に、入力手段１６による入力に応じたチェックやコメントを記録する。
なお、このような各処理は、例えば、ＧＵＩ（Ｇｒａｐｈｉｃａｌ  Ｕｓｅｒ  Ｉｎｔｅｒｆａｃｅ）等を用いた公知の方法で行えばよい。
【００３１】
検査者によって、入力手段１６を用いて、このＱＣの終了が指示されると、ＱＣツール２２は、作成したチェックシートを記憶手段２４の所定位置に記憶させ、さらに、ＱＣ履歴の一覧表の所定位置に、例えば、ＱＣ実施日および総合判定の結果を記録する。
なお、ＱＣ履歴の一覧は、目視検査のみを記録するのに限定はされず、例えば、輝度計による最高輝度や最低輝度の測定結果、ＣＴＦ（Ｃｏｎｔｒａｓｔ  Ｔｒａｎｓｆｅｒ  Ｆｕｎｃｔｉｏｎ）など、測定機器や演算などを用いたＱＣの結果を合わせて記録するようにしてもよい。
【００３２】
また、ＱＣを行う場合以外でも、前述のように、ＱＣツール２２は、入力手段１６等によってＱＣ履歴の表示等が指示がされた場合には、記憶手段２４からＱＣ履歴の一覧表や表示を指示されたチェックシートを読み出して、表示制御手段１８に供給して、未使用のモニタ１２に表示させる。
【００３３】
以上の説明から明らかなように、本発明によれば、従来はハードコピーベースのオフライン作業であったディスプレイＱＣの目視検査、およびＱＣ履歴の管理をオンライン作業で行うことができ、医療用ディスプレイシステムにおいて、ディスプレイのＱＣの作業性や効率を、大幅に向上することができる。
【００３４】
図３に、本発明の医療用ディスプレイシステムの別の態様の概念図を示す。
なお、図３に示される医療用ディスプレイシステム４０は、前記図１に示される表示システム１０と同じ構成要素を多数有するので、同じ部材には、同じ符号を付し、説明は、異なる部位を主に行う。
【００３５】
図３に示される医療用ディスプレイシステム４０（以下、表示システム４０とする）は、電子カルテ等の医療用電子ファイルの作成手段を有するシステムで、診断画像を表示する診断用のモニタ１２と、医療用電子ファイルを表示するファイル用ディスプレイ４２と、制御手段４４とを有する。
【００３６】
モニタ１２は、前記図１の表示システム１０と同様のものである。なお、図示例の表示システム４０は、モニタ１２を１台しか有さないが、これに限定はされず、複数の（診断用）モニタ１２を有してもよいのは、もちろんである。
他方、ファイル用ディスプレイ４２（以下、ファイル用モニタ４２とする）は、電子カルテや画像診断レポートを表示／作成（更新）するためのディスプレイであって、例えば、通常のＰＣ等に用いられるカラーのＬＣＤやＣＲＴを用いればよい。
【００３７】
制御手段４４は、電子カルテ等の医療用電子ファイルの作成機能を有し、かつ、ＱＣツール２２に変えてＱＣツール４６を有する以外は、基本的に、前記図１の表示システム１０の制御手段１４と同様のものである。
また、ＱＣツール４６は、チェックシートをファイル用モニタ４２に表示するように、表示制御手段１８に指示する以外は、基本的に先のＱＣツール２２と同様のものである。
【００３８】
ここで、本発明において、医療用ファイルとは、診断画像の読影、診断や診療、治療等に応じて作成される、医師の所見等を示した医療行為に利用される各種の電子ファイルである。
具体的には、放射線医が診断装置１２による診断画像を読影して作成する電子的な画像診断レポート（新医療  ２００２年８月号等参照）、臨床医が診療等に応じて作成するいわゆる電子カルテ（ＩＮＮＥＲＶＩＳＩＯＮ（１４・７）１９９９等参照）などが例示される。このような電子カルテや画像診断レポートの作成手段は、例えば、市販されている各種のソフトウエアを用いればよい。
【００３９】
以下、表示システム４におけるＱＣの作用を説明することにより、本発明の医療用ディスプレイシステムの第２の態様について、より詳細に説明する。
【００４０】
先の例と同様、入力手段１６を用いて、モニタ１２のＱＣを行うことが指示され、さらに、検査項目が選択される。なお、複数台のモニタを有する場合には、ＱＣを行うモニタの選択も行われる。
これに応じて、ＱＣツール４６は、記憶手段２４から検査項目に対応するテストパターンおよびチェックシートを読み出し、表示制御手段１８に供給する。また、ＱＣツール４６は、モニタ１２にテストパターンを表示し、ファイル用モニタ４２にチェックシートを表示するように、表示制御部１８に指示を出す。さらに、ＱＣツール４６は、先と同様にＱＣの結果を記録して保存するためのチェックシートを生成する。なお、表示システム４０が、複数台のモニタ１２を有する場合には、ＱＣの対象となるモニタ以外は、黒表示するようにしてもよい。
【００４１】
表示制御手段１８は、このＱＣツール２２からの指示に応じて、モニタ１２ににテストパターンを、ファイル用モニタ４２にチェックシートを送り、モニタ１２はテストパターンを、ファイル用モニタ４２はチェックシートを、それぞれ表示する。
【００４２】
テストパターンおよびチェックシートを表示すると、以下は、基本的に先の例と同様に行われる。すなわち、目視検査が行われ、検査結果に応じて、入力手段１６を用いて、チェックシートのチェックボックス３０にチェックが、コメント記入欄３２にコメントが、それぞれ入力される。
また、これらに入力指示は、ＱＣツール２２に送られ、このＱＣに対応するチェックシートの所定位置に、入力手段１６による入力に応じたチェックやコメントを記録する。
さらに、ＱＣの終了が指示されると、同様に、ＱＣツール２２は、作成したチェックシートを記憶手段２４の所定位置に記憶させ、ＱＣ履歴の一覧表の所定位置に、例えば、ＱＣ実施日および総合判定の結果を記録する。
【００４３】
従って、本態様においても、従来はハードコピーベースのオフライン作業であったディスプレイＱＣの目視検査、およびＱＣ履歴の管理をオンラインで行うことができ、医療用ディスプレイシステムにおいて、ディスプレイのＱＣの作業性や効率を、大幅に向上することができる。
【００４４】
以上、本発明の医療用ディスプレイシステムについて詳細に説明したが、本発明は上記実施例に限定はされず、本発明の要旨を逸脱しない範囲において、各種の改良や変更を行ってもよいのは、もちろんである。
【００４５】
【発明の効果】
以上、詳細に説明したように、本発明の医療用ディスプレイシステムによれば、マルチディスプレイの医療用ディスプレイシステムや、電子カルテや画像診断レポートの作成手段を有する医療用ディスプレイシステムを利用することにより、良好な効率および作業性でディスプレイの品質管理や品質管理の履歴管理を行うことができる。
【図面の簡単な説明】
【図１】本発明の第１の態様の医療用ディスプレイシステムの一例の概念図である。
【図２】本発明の医療用ディスプレイシステムに利用される品質管理用チェックシートの一例の概念図である。
【図３】本発明の第２の態様の医療用ディスプレイシステムの一例の概念図である。
【符号の説明】
１０，４０  表示システム（医療用ディスプレイシステム）
１２  モニタ（ディスプレイ）
１４，４４  制御手段
１６  入力手段
１８  表示制御手段
２２，４６  ＱＣツール
２４  記憶手段
４２  ファイル用モニタ（ディスプレイ）
【図１】
2004239752.tif 000003
【図２】
2004239752.tif 000004
【図３】
2004239752.tif 000005